(57)【特許請求の範囲】
【請求項１】
肛門から直腸に挿入し腸内物を破砕・分断して排出する排便装置において、肛門から直腸に挿入される筒体の先端部分に複数の細い硬質板を円周上に拡縮自在に設け、複数の硬質板の外周側を覆う保護膜を設け、同保護膜と前記硬質板で花弁状の保護体を構成し、前記筒体の内部をスライドできるスライド筒を設け、同スライド筒の先端部分に前記硬質板の基端部分と係合する溝を複数設け、前記硬質板の基端内側に係合突起を設け、スライド筒の溝の側壁で硬質板の側方を拘束しながら、溝の底部分で硬質板の係合突起を押して保護体を拡げるようにした排便装置。
【請求項２】
硬質板の内側に腸内物の動きを止める係止爪を設けた請求項１記載の排便装置。
【請求項３】
スライド筒の先端に回転して腸内物を破砕・分断する破砕体を設け、スライド筒の外部に電動モーターを設けて破砕体をモーターで回転させるようにし、筒体にスライド筒の移動範囲を規制する下端から所定長さ先端に向って伸びるスリットを設け、同スリットと係合するレバーをスライド筒に設けた請求項１又は２記載の排便装置。
【発明の詳細な説明】
【０００１】
【発明の属する技術分野】
本発明は、肛門から挿入され、腸内の排泄されない便を強制的に破砕・分断・撹拌・掻き込み（以下単に破砕という）して強制排出するための技術に関する。特に寝たきりの老人・患者・自己排便力のない者にとって有用な装置である。
【０００２】
【従来の技術】
従来、宿便等で腸内で滞留して排便できない便は、医師・看護人が肛門から指を挿入して掻き出していた。これは手間のかかるものであった。
本発明者は、これを解消する装置を開発した。これは肛門から挿入される筒体の先端に腸壁保護用の花弁状の保護体を拡縮自在にし、その内部に便を破砕する破砕体を回転自在に装置した排便装置を開発した。破砕体によって腸内の便を破砕し、筒体に接続した吸引装置で吸引して便を強制排出させる構造のものである。
しかし、この装置の保護体の硬質板と筒体の接続部分は比較的弱いため、側方から力を受けたり、ねじるような力を受けると筒体からはずれてしまう危険性が高かった。
【０００３】
【発明が解決しようとする課題】
本発明が解決しようとする課題は、従来のこれらの問題点を解消し、硬質板の基端部分側方を拘束・補強し、コストを抑制してより安全に使用できる排便装置を提供することにある。
【０００４】
【課題を解決するための手段】
かかる課題を解決した本発明の構成は、
１）  肛門から直腸に挿入し腸内物を破砕・分断して排出する排便装置において、肛門から直腸に挿入される筒体の先端部分に複数の細い硬質板を円周上に拡縮自在に設け、複数の硬質板の外周側を覆う保護膜を設け、同保護膜と前記硬質板で花弁状の保護体を構成し、前記筒体の内部をスライドできるスライド筒を設け、同スライド筒の先端部分に前記硬質板の基端部分と係合する溝を複数設け、前記硬質板の基端内側に係合突起を設け、スライド筒の溝の側壁で硬質板の側方を拘束しながら、溝の底部分で硬質板の係合突起を押して保護体を拡げるようにした排便装置
２）  硬質板の内側に腸内物の動きを止める係止爪を設けた前記１）記載の排便装置
３）  スライド筒の先端に回転して腸内物を破砕・分断する破砕体を設け、スライド筒の外部に電動モーターを設けて破砕体をモーターで回転させるようにし、筒体にスライド筒の移動範囲を規制する下端から所定長さ先端に向って伸びるスリットを設け、同スリットと係合するレバーをスライド筒に設けた前記１）又は２）記載の排便装置
にある。
【０００５】
【作用】
本発明では、花弁状の保護体を拡げる際に筒体内部のスライド筒の先端に設けた溝と保護体の硬質板の基端部分の係合突起を係合させ、溝の底面で係合突起を先端に向って押すようにして硬質板を基端を軸に回転させるようにして複数の硬質板を拡げるようにして保護体が拡がるようにする。スライド筒の溝を硬質板の基端の係合突起と係合させることによって硬質板の基端部分の側方は、溝の側壁で動きを規制される。このようにして硬質板の側方に外部から力が加わった場合に溝の側壁で支持するようにする。
硬質板の内側に腸内物の動きを止める係止爪を設けたものは、腸内物の破砕・分断を行う際に腸内物が動かないようにして確実に腸内物の破砕・分断が行えるようにする。
電動モーターで回転する破砕体を設け、スリットとレバーでスライド筒の移動範囲を規制したものは、スライドして位置を変えて破砕体によって破砕・分断が行えるようにし、スライド筒の移動範囲をスリットとレバーで規制して安全な範囲でスライド位置を変えて破砕・分断が行えるようにする。
【０００６】
【発明の実施の形態】
本発明の筒体、スライド筒は、シリコン・ゴム質で製作することを普通とし、内部を中空にし、先端の外周部分に腸内物の肛門からの流下防止と筒体固定の為にバルーン、又は鍔を設けることが好ましい。
保護体の硬質板の外側は角や突起がない形状にして人体に傷をつけないようにするのが好ましい。
【０００７】
【実施例】
本発明の実施例について、図面を参照して具体的に説明する。
図１〜４に示す実施例は、硬質板と保護膜で保護体を構成し、スライド筒の溝と硬質板の基端を係合させ、硬質板の内側に腸内物の動きを止める係止爪を設け、スライド筒の先端にモーターで回転する破砕体を設け、スリットとレバーでスライド筒の移動範囲を規制した排便装置の例である。
図１は、実施例の排便装置の説明図である。
図２は、実施例の排便装置の保護体を収縮させてカバーを取り付けた状態を示す説明図である。
図３は、実施例の排便装置の保護体を拡げた状態の平面図である。
図４は、実施例の排便装置の筒体とスライド筒の係合状態を示す説明図である。
図中、１は排便装置、２は筒体、２ａはスリット、２ｂは鍔部、２ｃは係合穴、２ｄは接続部、３は保護体、３ａは硬質板、３ｂは係合突起、３ｃは係止爪、３ｄは保護膜、４はスライド筒、４ａは軸受、４ｂは開口部、４ｃはレバー、４ｄは小突起、４ｅは溝、５はモーター、６は破砕体、７は回転軸、８はカップリング、９はカバー、１０はバルーン、１１はチューブ、１２は切替器、１３は湯容器、１４は排泄容器、１５は圧送ポンプ、１６は吸引ポンプである。
【０００８】
実施例の排便装置では、図１〜４に示すようにまず、肛門から直腸に挿入できる筒体２を設ける。筒体２の後端には径が大きくなった鍔部を設ける。鍔部は、対向する２箇所の径を小さくする。その部分から所定長さ先端に向かうスライド２ａを対向する鍔部の径を小さくした部分それぞれに設ける。鍔部２ｂの筒体２に接する部分には、筒体外周に沿った係合穴２ｃを対向させた２箇所に設ける。次に筒体の中央に近い外周に内部を連通した接続部２ｄを設ける。
次に、筒体２の先端部分の円周上８箇所に硬質板３ａを設ける。実施例の硬質板３ａは筒体２と一体成型で製作される。硬質板３ａと筒体２の先端部分の接続部は非常に薄くして８箇所に設けた硬質板３ａが花弁状に拡縮できるようにする。さらに硬質板３ａの基端部分の内側に所定の形状で傾斜を備えた係合突起３ｂを設ける。次に硬質板３ａの内側の中央部分及び先端部分に突起状に内側に突出させた係止爪３ｃを設ける。次に拡がった状態の硬質板の外側にはるようにして保護膜３ｄを取り付ける。保護膜３ｄは硬質板３ａの外側に溶着するようにして取り付けられる。また、保護膜３ｄは硬質板３ａの先端で折り返すようにして所定長さ硬質板３ａの内側まで設けるようにして硬質板３ａの先端が人体に傷つけないように保護する。
【０００９】
次に筒体２の内部をスライド自在な大きさのスライド筒４を設ける。スライド筒４は先端部分に軸受４ａを設けている。この先端部分は軸受４ａ以外の部分が開口してスライド筒４の内部と先端部分が連通できるようにしている。次にスライド筒４の外周部分に前後に長い長孔状の開口部４ｂを設ける。次にスライド筒４の後端に対向させた２箇所と外径方向に伸びるレバー４ｃを設ける。またレバー４ｃの基端部分は、筒体２のスリット２ａと係合する細い部分を設ける。さらにレバー４ｃの前側部分に筒体２の係合穴２ｃと係合できる小突起４ｄを設ける。次にスライド筒４の先端外周部分の８箇所に溝４ｅを設ける。
次にスライド筒４の後端部分にモーター５を設ける。モーター５の取付部分とその前方は隔壁を設け、モーター出力軸だけが隔壁からスライド筒４の内部に突出するようにする。次に長い回転軸７を軸受４ａに回転自在となるように取り付け、回転軸７の後端とモーター５の出力軸が同軸で連結されるようにカップリング８で連結する。次に、スライド筒４の先端から突出した回転軸７に破砕体６を取り付けてモーターの駆動で破砕体６が回転するようにする。
次に筒体の先端に近い２箇所に環状でエアーによって拡縮自在なバルーン１０を設け、筒体の接続部２ｄにチューブ１１を取り付け、チューブ１１のもう一方の端に切替器１２を取り付ける。次に切替器１２の切替先の一方に湯容器１３からの湯を送る圧送ポンプ１５を接続し、もう一方の切替先に吸引して排泄容器１４に収容する吸引ポンプ１６を接続する。
【００１０】
本実施例の排便装置１を使用するには、まず筒体の内部にスライド筒４を挿入する。この際には図４（ａ）に示すようにスライド筒４の後端部分のレバー４ｃが筒体２の鍔部２ｂに当たるようにしてレバー４ｃの小突起４ｄが鍔部２ｂの係合孔２ｃに係合するようにして、それ以上スライド筒４が筒体２の前方に向って挿入されないようにして誤動作を防いだ状態にし、次に保護体３が収縮した状態で図２に示すように保護体３に水溶性のカバー９を取り付ける。この状態で処置を行う人の肛門から直腸に挿入する。この際には筒体２に対してスライド筒４が前方に移動しないようにしているので安全に挿入できる。このようにして挿入したならば、カバー９は水溶性であるため腸内で溶ける。また、挿入後にバルーン１０を膨らませて筒体２を人体に固定し、かつ腸内物の流下を防ぐ。次に図４（ｂ）に示すように筒体２に対してスライド筒４を約９０°回転させて筒体２のスリット２ａにスライド筒４のレバー４ｃの基端の細くした部分を係合させて、レバー４ｃを前方に押してスライド筒４を前方に移動させる。スライド筒４の先端が保護体３の硬質板３ａの基端部分の係合突起３ｂに達したならば、スライド筒４の先端の８箇所に設けた溝４ｅがそれぞれ硬質板３ａの係合突起３ｂと係合する。レバー４ｃとスリット２ａを係合させて筒体２とスライド筒４の回転位置を決めているので回転位置がズレて係合突起３ｂと溝４ｅが係合しないようなことはない。さらにスライド筒４を前方に押すと溝４ｅの底面が係合突起３ｂを押すことにより、硬質板３ａは筒体２との接続部を基点に外側に向って回転する。よって、保護体３が花弁状に拡がる動きとなる。この際に、係合突起３ｂが溝４ｅと係合することによって係合突起３ｂの側面は溝４ｅの側壁と所定の隙間を持つ状態になっており、硬質板３ａに側方への力が加わると係合突起３ｂの側面と溝４ｅの側面が接するようにして、溝４ｅの側壁が力を受けるようにして、硬質板３ａが支持されるようになる。よって硬質板３ａと筒体２との接続部分が損傷するなどして硬質板３ａが筒体２からはずれないようにしてより安全に使用できるようにする。
【００１１】
このようにして保護体３を拡げたならば、切替器１２を圧送ポンプ１５側へ変更し、圧送ポンプ１５を作動させて湯を腸内に送り込んで、切替器１２を吸引ポンプ１６側へ変更し、さらにモーター５を駆動して破砕体６を回転させて破砕体６で腸内物を破砕・分断する。このようにして腸内物の破砕・分断を行ったならば、吸引ポンプ１６を作動させて、破砕・分断した腸内物を湯とともにスライド筒４内部から開口部４ｂ、接続部２ｄを通るように吸引して排泄容器に収容する。このように処置を行うことで清潔に処置を行うことができる。また、腸内物が破砕体６に押されて移動したり、一緒に回転してしまう場合には、硬質板３ａの内側には係止爪３ｃを設けているので、硬質板３ａを少し収縮させて係止爪３ｃで押えて破砕・分断を行うようにすれば効率よく確実に破砕・分断を行うことができる。
このようにして処置が終了したならば、バルーン１０から空気を抜くようにして収縮させ、スライド筒４を後方に移動させてレバー４ｃを鍔部２ｂに当てた状態で引き抜くようにすれば、硬質板３ａは腸内での抵抗で収縮した状態で取りはずされる。
【００１２】
【発明の効果】
本発明によれば、硬質板の基端部分側方を拘束・補強し、より安全に使用できる排便装置にできる。
硬質板の内側に腸内物の動きを止める係止爪を設けたものは、確実に効率よく腸内物の破砕・分断ができるようにして処置時間を短かく、確実に処置できる。
電動モーターで回転する破砕体を設け、スリットとレバーでスライド筒の移動範囲を規制したものは、より安全に使用できる排便装置にできる。
【図面の簡単な説明】
【図１】実施例の排便装置の説明図である。
【図２】実施例の排便装置の保護体を収縮させてカバーを取り付けた状態を示す説明図である。
【図３】実施例の排便装置の保護体を拡げた状態の平面図である。
【図４】実施例の排便装置の筒体のスライド筒の係合状態を示す説明図である。
【符号の説明】
１  排便装置
２  筒体
２ａ  スリット
２ｂ  鍔部
２ｃ  係合穴
２ｄ  接続部
３  保護体
３ａ  硬質板
３ｂ  係合突起
３ｃ  係止爪
３ｄ  保護膜
４  スライド筒
４ａ  軸受
４ｂ  開口部
４ｃ  レバー
４ｄ  小突起
４ｅ  溝
５  モーター
６  破砕体
７  回転軸
８  カップリング
９  カバー
１０  バルーン
１１  チューブ
１２  切替器
１３  湯容器
１４  排泄容器
１５  圧送ポンプ
１６  吸引ポンプ
【図１】
0003574364.tif 000002
【図２】
0003574364.tif 000003
【図３】
0003574364.tif 000004
【図４】
0003574364.tif 000005